(57)【要約】      （修正有）【課題】一般消費者でも簡単に操作可能な、写真をデジタルデータに転換する装置を提供する。【解決手段】写真をデジタルデータに転換する装置は、主体を含み、その内部には画像撮影機構を設置し、反対側には挿合槽と定位構造を設置する。その内部には発光可能な回路板を設置し、光反射カバーを結合する。こうして写真を挟持した写真クリップを、該挿合槽から該主体の内部に入れ、簡易な操作を利用し、画像撮影機構は写真上の画像を迅速に撮影し取り込み、デジタルデータに転換することができる。これにより保存、修正、或いは新しい写真の現像に便利で、よって利便性と進歩性を備える。【選択図】図２
0003144619.tif 000002
【実用新案登録請求の範囲】
【請求項１】
主体と下ケースを含み、中空体構造を組合せ、およそ半楕円状を呈する光反射カバーをその間に結合し、内部には画像撮影機構、２組の発光ダイオード回路板を設置し、
該主体の上部端側には挿合槽を設置し、写真クリップを挿入し、これにより内部の画像撮影機構を利用し、該写真クリップ上の写真を撮影しデジタルデータに転換することを特徴とする写真をデジタルデータに転換する装置。
【請求項２】
前記画像撮影機構はサポートフレームを含み、回路板を設置し、レンズフレームとレンズを結合し、こうして該レンズは該主体内の反対側の空間にフォーカシングすることができ、
該光反射カバーの一端には円孔を設置し、該レンズの外部に嵌め、反対端の開口部は反対側の空間に向かうことを特徴とする請求項１記載の写真をデジタルデータに転換する装置。
【請求項３】
前記挿合槽の下内側には定位フレームを設置し、並びにクリップを備え、
該下ケースの内側底部には係合台を設置することを特徴とする請求項１記載の写真をデジタルデータに転換する装置。
【請求項４】
前記サポートフレーム上には別に制御板と、外へと露出するボタンを結合し、その外部は装飾パネルで覆うことを特徴とする請求項１記載の写真をデジタルデータに転換する装置。
【考案の詳細な説明】
【技術分野】
【０００１】
本考案は写真をデジタルデータに転換する装置に関する。
【背景技術】
【０００２】
過去の写真は伝統的なカメラにフィルムをセットし撮影し、それを現像し得るものであった。そのため、フィルムを遺失してしまえば、写真しか残らず、それ以上複製することはできない。もし写真を破損し、或いは遺失してしまったなら、過去の美しい思い出を記録した画像記憶を再び取り戻すことは難しい。これまではこのようなフィルム遺失の問題を解決するために、カメラを利用し写真にピントを合わせ複写し、新しいフィルムを取得し、保存及び新しい写真を現像する等していた。しかし、この方式で得られる複写写真の画像効果はコントロールが難しく、専門家が専門の設備を用いたのでなければ、得られた複写写真はもとの品質を備えることはできない。
【考案の開示】
【考案が解決しようとする課題】
【０００３】
本考案が解決しようとする課題は、巧妙な組合せ構造を利用し、一般消費者でも簡単に操作可能とし、写真画像をデジタルデータに転換することができ、新しい写真の保存、修正、或いは複製に便利で、公知の欠点を克服することができる写真をデジタルデータに転換する装置を提供することである。
【課題を解決するための手段】
【０００４】
請求項１の考案は、主体と下ケースを含み、中空体構造を組合せ、およそ半楕円状を呈する光反射カバーをその間に結合し、内部には画像撮影機構、２組の発光ダイオード回路板を設置し、
該主体の上部端側には挿合槽を設置し、写真クリップを挿入し、これにより内部の画像撮影機構を利用し、該写真クリップ上の写真を撮影しデジタルデータに転換することを特徴とする写真をデジタルデータに転換する装置としている。
請求項２の考案は、前記画像撮影機構はサポートフレームを含み、回路板を設置し、レンズフレームとレンズを結合し、こうして該レンズは該主体内の反対側の空間にフォーカシングすることができ、
該光反射カバーの一端には円孔を設置し、該レンズの外部に嵌め、反対端の開口部は反対側の空間に向かうことを特徴とする請求項１記載の写真をデジタルデータに転換する装置としている。
請求項３の考案は、前記挿合槽の下内側には定位フレームを設置し、並びにクリップを備え、
該下ケースの内側底部には係合台を設置することを特徴とする請求項１記載の写真をデジタルデータに転換する装置としている。
請求項４の考案は、前記サポートフレーム上には別に制御板と、外へと露出するボタンを結合し、その外部は装飾パネルで覆うことを特徴とする請求項１記載の写真をデジタルデータに転換する装置としている。
【考案の効果】
【０００５】
上記のように、本考案の提供により、高度な撮影技術と専門の設備を用いなくとも、一般の使用者は簡単な操作で、直ちにあらゆる写真の画像を複写取得し、デジタルデータに転換し、再利用することができる。本考案はこれにより公知の問題を解決することができる。
【考案を実施するための最良の形態】
【０００６】
本考案の前記の及び他の技術内容、特徴と機能について、以下に図を用い、最適実施例について詳細に説明する。図１、図２に示すように、本考案は主に主体１、下ケース２、画像撮影機構３、２組の発光ダイオード回路板４を含む。該主体１と該下ケース２は中空体構造を組合せ、さらに光反射カバー６をその間に結合する。該主体１の上部端側には挿合槽１１を設置し、写真クリップ５を挿入する。これにより、内部の画像撮影機構３を利用し、該写真クリップ５上の写真５１を撮影し、デジタルデータに転換し、該写真の画像を長期間保存することができる。さらには、修正し、及び新しい写真を現像することができ、利便性と精確な複写の機能を備える。
【０００７】
図３、図４に示すように、本考案の構造は主に、該主体１内部の片側に該画像撮影機構３を組み合わせる。該画像撮影機構３はサポートフレーム３１を含み、回路板３２を設置し、レンズフレーム３３とレンズ３４を結合する。こうして該レンズ３４は該主体１内の反対側の空間にフォーカシングすることができる。該光反射カバー６はおよそ半楕円状を呈し、一端には円孔６１を設置し、該レンズ３４の外部に嵌める。反対端の開口部は反対側の空間に向かい、上部の２個の結合フレーム６２により該主体１内部に固設する。該主体１上部挿合槽１１の下内側には定位フレーム１２を設置し、並びにクリップ１３を備える。該下ケース２の内側底部には係合台２１を設置し、該２組の発光ダイオード回路板４は該主体１と該下ケース２の後側内部に直立設置する。該サポートフレーム３１上には別に制御板３５と、外へと露出するボタン３６を結合し、その外部は装飾パネル１４で覆うことができる。
【０００８】
使用時には、処理しようとする写真５１を該写真クリップ５上に固定する。次に、該クリップ１３を開け、該挿合槽１１から挿入し、下端は該係合台２１上に固定する。こうして該写真５はちょうど該レンズ３４に正対面し、該ボタン３６を押すと、該２組の発光ダイオード回路板４上の各発光ダイオード４１を制御し、光線を発射させ、該光反射カバー６に投射させる。さらに該写真５１上に反射し、同時に撮影し、写真５１と完全に相同の画像を得ることができる。これをプログラム処理を経て、デジタルデータに転換し、長期的に保存が可能で、修正或いは現像が簡易な写真を提供することができる。該光反射カバー６は光線の該写真５１に対する均一投射を強化し、撮影画像の輝度と品質を向上させることができる。
【０００９】
本考案の提供により、高度な撮影技術と専門の設備を用いなくとも、一般の使用者は簡単な操作で、直ちにあらゆる写真の画像を複写取得し、デジタルデータに転換し、再利用することができる。本考案はこれにより公知の問題を解決することができる。
【図面の簡単な説明】
【００１０】
【図１】本考案の外観図である。
【図２】本考案の部分分解立体図である。
【図３】本考案の細部分解立体図である。
【図４】本考案の内部組合せ構造配置図である。
【符号の説明】
【００１１】
１  主体
１１  挿合槽
１２  定位フレーム
１３  クリップ
１４  装飾パネル
２  下ケース
２１  係合台
３  画像撮影機構
３１  サポートフレーム
３２  回路板
３３  レンズフレーム
３４  レンズ
３５  制御板
３６  ボタン
４  ２組の発光ダイオード回路板
４１  発光ダイオード
５  写真クリップ
５１  写真
６  光反射カバー
６１  円孔
６２  結合フレーム
【図１】
0003144619.tif 000003
【図２】
0003144619.tif 000004
【図３】
0003144619.tif 000005
【図４】
0003144619.tif 000006